(57)【要約】【課題】例えば屋内と屋外の気圧差などにより玄関扉を開ける方向に対して非常に重くなった場合に玄関扉を開けやすくするための玄関扉の開動補助装置を提供する。【解決手段】出入り口の上枠に玄関扉に向いて取り付けられる開動補助装置であって、ケーシング７内には、開扉方向の動力を伝達する緩衝用のばね１２内蔵のシリンダー１１からなる押圧部と、シリンダー１１を往復運動させて出退可能にするためにモーター８の出力軸８ａから歯車を介して繋がる雄ねじ軸１０と、雄ねじ軸１０の長さ方向にスライド自在な作動プレート１８とを備え、シリンダー１１を摺動自在に支持し、シリンダー１１の大径の筒体１１ａを作動プレート１８に結合し、雄ねじ軸１０の回転により作動プレート１８およびシリンダー２２を雄ねじ軸１０の長さ方向に一体的に移動させてシリンダー１１の小径の筒体１１ｂの一端側をケーシング７の開口部２０ａに対して出退するように構成した。【選択図】図５
2010031596.tif 000002
【特許請求の範囲】
【請求項１】
出入り口の扉を開扉する際に、開扉方向に開動補助する開動補助装置であって、ケーシング内に開扉方向の動力を伝達する緩衝用のばね内蔵の伸縮自在なシリンダーからなる押圧部と、シリンダーを往復運動させて出退可能にする作動部と、作動部を動作させるモーターおよび動力伝達機構を備えた動力部とを有し、前記作動部は、前記モーターの出力軸から動力伝達機構を介して繋がる雄ねじ軸と、この雄ねじ軸の長さ方向にスライド自在な作動プレートとを備え、前記押圧部のシリンダーの互いに嵌合する両筒体をガイドプレートにより摺動自在に支持し、ケーシングから突出する方向に向くシリンダーの一方の筒体と嵌合する他方の筒体を前記作動プレートに結合し、前記作動プレートには前記雄ねじ軸に螺合する雌ねじ部材が設けられて雄ねじ軸の回転により作動プレートおよびシリンダーを雄ねじ軸の長さ方向に一体的に移動させてシリンダーの一方の筒体の一端側をケーシングの開口部に対して出退するように構成し、シリンダーの一方の筒体の一端側からの押圧力により、扉を開く方向の力を補うべく応力伝達するようにしたことを特徴とする扉の開動補助装置。
【請求項２】
シリンダーの一方の筒体の一端側に押圧体を一体的に設け、押圧体の押圧力により、扉を開く方向の力を補うべく応力伝達するようにしたことを特徴とする請求項１記載の扉の開動補助装置。
【請求項３】
出入り口の扉を開扉する際に、開扉方向に開動補助する開動補助装置であって、ケーシング内に開扉方向の動力を伝達する緩衝用のばね内蔵の伸縮自在なシリンダーからなる押圧部と、シリンダーを往復運動させる作動部と、作動部を動作させるモーターおよび動力伝達機構を備えた動力部とを有し、前記作動部は、前記モーターの出力軸から動力伝達機構を介して繋がる雄ねじ軸と、この雄ねじ軸の長さ方向にスライド自在な作動プレートとを備え、前記押圧部のシリンダーの互いに嵌合する両筒体をガイドプレートにより摺動自在に支持し、ケーシングから突出する方向に向くシリンダーの一方の筒体と嵌合する他方の筒体を前記作動プレートに結合し、前記作動プレートには前記雄ねじ軸に螺合する雌ねじ部材が設けられて雄ねじ軸の回転により作動プレートおよびシリンダーを雄ねじ軸の長さ方向に一体的に移動させるように構成し、扉に押圧体を一体的に設け、ケーシングに押圧体挿入部を形成し、前記雄ねじ軸の回転によりシリンダーの一方の筒体の一端側からの押圧力により、扉を開く方向の力を補うべく応力伝達するようにしたことを特徴とする扉の開動補助装置。
【請求項４】
ケーシング内に挿入された押圧体に対して、ピンを差し込んでケーシングと結合させることにより施錠するように構成したことを特徴とする請求項３記載の扉の開動補助装置。
【請求項５】
押圧部を構成するシリンダーはモーターと雄ねじ軸を両側から挟むように２本備えていることを特徴とする請求項１から４までの何れか１項記載の扉の開動補助装置。
【請求項６】
ケーシングの他端側において２本のシリンダーの一方の筒体の端部間を連結具で繋いでいることを特徴とする請求項５記載の扉の開動補助装置。
【請求項７】
動力伝達機構を構成する歯車はモーターに内蔵されていることを特徴とする請求項１から６までの何れか１項記載の扉の開動補助装置。
【発明の詳細な説明】
【技術分野】
【０００１】
本発明は、マンションなどの集合住宅や一戸建て住宅など建物の扉の開動を補助するための扉の開動補助装置に関するものである。
【背景技術】
【０００２】
従来のこの種扉の開動補助装置としては例えば特許文献１に開示されているような、柱枠に対して蝶番を介して回動可能に取り付けられ且つ閉鎖姿勢を保持するラッチを備えた回動扉であって、この扉を閉鎖した姿勢において扉のヒンジ側端面とこの端面に隣接する柱枠の側面の何れか一方に、扉を常時開放方向に弾力的に付勢する弾性突出棒体が出没自在に埋設されているものが知られている。
【特許文献１】特開平１１−２８０３２９号公報
【発明の開示】
【発明が解決しようとする課題】
【０００３】
上記特許文献１に開示されている扉の開動補助装置は把手でラッチを解除して扉を開こうとするときに弾性突出棒体の突出する力が扉のヒンジ側端面に掛かり、扉を半開きの状態まで開動させることができるとあるが、弾性突出棒体を突出する方向に付勢して扉を開動させるためには相当強いばねを用いる必要がある。
【０００４】
上記特許文献１に開示されている扉の開動補助装置は身障者の玄関出入り口の通行時に把手でラッチを解除するだけで扉を弾性突出棒体の付勢力により半開きの状態まで開動させ、身障者の玄関出入り口の通行を行ないやすくするものであるが、例えば突風などにより扉に対して閉じる方向に大きな力が加わった場合、上記の開動補助装置の構成では把手でラッチを解除しても弾性突出棒体のばねによる付勢力だけでは扉を開動させるのは困難である。特に、マンションなどの気密性の高い住居にあっては屋内と屋外とでは気圧差が生じ、玄関の扉を内側から押し開くか、外側から引き開く場合でも非常に重く、力の弱い女性、子供、年寄りにとっては玄関扉の開閉が困難である。
【０００５】
本発明の目的は、このような課題を解決するものであり、例えば突風などにより玄関の扉に対して閉じる方向に大きな力が加わった場合や、屋内と屋外の気圧差などにより玄関の扉を開ける方向に対して非常に重くなった場合に扉を開けやすくするための扉の開動補助装置を提供することにある。
【課題を解決するための手段】
【０００６】
本発明の請求項１に記載の扉の開動補助装置は、出入り口の扉を開扉する際に、開扉方向に開動補助する開動補助装置であって、ケーシング内に開扉方向の動力を伝達する緩衝用のばね内蔵の伸縮自在なシリンダーからなる押圧部と、シリンダーを往復運動させて出退可能にする作動部と、作動部を動作させるモーターおよび動力伝達機構を備えた動力部とを有し、前記作動部は、前記モーターの出力軸から動力伝達機構を介して繋がる雄ねじ軸と、この雄ねじ軸の長さ方向にスライド自在な作動プレートとを備え、前記押圧部のシリンダーの互いに嵌合する両筒体をガイドプレートにより摺動自在に支持し、ケーシングから突出する方向に向くシリンダーの一方の筒体と嵌合する他方の筒体を前記作動プレートに結合し、前記作動プレートには前記雄ねじ軸に螺合する雌ねじ部材が設けられて雄ねじ軸の回転により作動プレートおよびシリンダーを雄ねじ軸の長さ方向に一体的に移動させてシリンダーの一方の筒体の一端側をケーシングの開口部に対して出退するように構成し、シリンダーの一方の筒体の一端側からの押圧力により、扉を開く方向の力を補うべく応力伝達するようにしたことを特徴とする。
【０００７】
請求項２に記載の扉の開動補助装置は、シリンダーの一方の筒体の一端側に押圧体を一体的に設け、押圧体の押圧力により、扉を開く方向の力を補うべく応力伝達するようにしたことを特徴とする。
【０００８】
請求項３に記載の扉の開動補助装置は、出入り口の扉を開扉する際に、開扉方向に開動補助する開動補助装置であって、ケーシング内に開扉方向の動力を伝達する緩衝用のばね内蔵の伸縮自在なシリンダーからなる押圧部と、シリンダーを往復運動させる作動部と、作動部を動作させるモーターおよび動力伝達機構を備えた動力部とを有し、前記作動部は、前記モーターの出力軸から動力伝達機構を介して繋がる雄ねじ軸と、この雄ねじ軸の長さ方向にスライド自在な作動プレートとを備え、前記押圧部のシリンダーの互いに嵌合する両筒体をガイドプレートにより摺動自在に支持し、ケーシングから突出する方向に向くシリンダーの一方の筒体と嵌合する他方の筒体を前記作動プレートに結合し、前記作動プレートには前記雄ねじ軸に螺合する雌ねじ部材が設けられて雄ねじ軸の回転により作動プレートおよびシリンダーを雄ねじ軸の長さ方向に一体的に移動させるように構成し、扉に押圧体を一体的に設け、ケーシングに押圧体挿入部を形成し、前記雄ねじ軸の回転によりシリンダーの一方の筒体の一端側からの押圧力により、扉を開く方向の力を補うべく応力伝達するようにしたことを特徴とする。
【０００９】
請求項４に記載の扉の開動補助装置は、ケーシング内に挿入された押圧体に対して、ピンを差し込んでケーシングと結合させることにより施錠するように構成したことを特徴とする。
【００１０】
請求項５に記載の扉の開動補助装置は、押圧部を構成するシリンダーはモーターと雄ねじ軸を両側から挟むように２本備えていることを特徴とする。
請求項６に記載の扉の開動補助装置は、ケーシングの他端側において２本のシリンダーの一方の筒体の端部間を連結具で繋いでいることを特徴とする。
【００１１】
請求項７に記載の扉の開動補助装置は、動力伝達機構を構成する歯車はモーターに内蔵されていることを特徴とする。
【発明の効果】
【００１２】
以上のように、本発明の扉の開動補助装置は、例えば突風などにより玄関の扉に対して閉じる方向に大きな力が加わった場合や、屋内と屋外の気圧差などにより玄関の扉を開ける方向に対して非常に重くなった場合、モーターを回転させて押圧部を作動させ、押圧部により扉を押し開くことにより扉を簡単に開くことができるものである。また、押圧部を構成するシリンダーには緩衝用のばねが内蔵されているので、扉を押し開く際に押圧部に衝撃が加わっても、その衝撃をばね力により吸収することができる。また、扉側に押圧体を一体的に設け、押圧部が押圧体を押圧する場合も同様の効果が得られ、この押圧体をケーシング内に挿入された状態で、ピンを差し込んでケーシングと結合させることにより施錠することができ、扉の錠前以外の補助錠として機能することができる。また、押圧部を構成するシリンダーをモーターと雄ねじ軸を両側から挟むように２本備えることにより、シリンダーを１本設ける場合に比べて強さの弱いばねを用いてシリンダーの動作を安定させることができるとともに、扉にかかる力のバランスも安定させることができる。そして、２本のシリンダーの一方の筒体の端部間を連結具で繋ぐことにより、２本のシリンダーの力を一体化させることができる。
【発明を実施するための最良の形態】
【００１３】
以下、本発明の実施の形態を、図面に基づき具体的に説明する。
先ず、図１〜図７に示す第１の実施の形態について説明すると、図において、１は一側部が蝶番（図示せず）により出入り口２の縦枠３に回転自在に支持された玄関扉であって、この玄関扉１の蝶番支持側とは反対側の他側部にはラッチ錠が内蔵された把手４が設けられている。そして、この把手４が取り付けられた他側部側、つまり戸先側において室内側に位置する出入り口２の上枠５には玄関扉１に向いて開動補助装置６が取り付けられている。
【００１４】
開動補助装置６は上枠５の下面に前記玄関扉１の上端内面に向き合うように取り付けられる。この開動補助装置６のケーシング７内には、ケーシング７の一端側でケーシング７の底板７ａ上に取り付けられた歯車内蔵型のモーター８と、このモーター８の出力軸８ａと同芯上で出力軸８ａに一端側が結合部９で結合されケーシング７の他端側に向く雄ねじ軸１０と、このモーター８と雄ねじ軸１０の配置部を両側から挟むように位置する押圧部としての２本のシリンダー１１，１１と、この各シリンダー１１の中に内蔵された緩衝用のばね１２と、ケーシング７の他端側において２本のシリンダー１１，１１の一端側同士を繋ぐ連結具１３と、この連結具１３の中央に取り付けられた押圧体としての扉押し付け用のローラー１４とを備えている。
【００１５】
さらに詳しくは、前記２本のシリンダー１１，１１はそれぞれ雌側の大径の筒体１１ａと、この筒体１１ａに摺動自在に嵌入する雄側の小径の筒体１１ｂとからなり、この筒体１１ａ，１１ｂからなるシリンダー１１内にシリンダー１１の全長に亘る長さを有する緩衝用のコイル状のばね１２が内蔵されている。つまり、シリンダー１１は小径の筒体１１ｂが大径の筒体１１ａから突出する方向にばね１２により付勢されている。前記大径の筒体１１ａ内にはばね１２に嵌入してばね１２を受ける軸１５が設けられている。前記モーター８の出力軸８ａが突出するモーターケース８ｂの端面に当接する位置でシリンダー１１の大径の筒体１１ａを摺動自在に支持する一方のガイドプレート１６がケーシング７の底板７ａ上に取り付けられ、また前記雄ねじ軸１０の他端側を回転自在に受けるとともにシリンダー１１の小径の筒体１１ｂを摺動自在に支持する他方のガイドプレート１７がケーシング７の底板７ａ上に取り付けられている。前記他方のガイドプレート１７からケーシング７の他端側に向いて突出する２本のシリンダー１１の小径の筒体１１ｂの端部間を前記連結具１３で繋いでいる。また、前記モーター８の出力軸８ａに繋がれた雄ねじ軸１０は、前記２本のシリンダー１１の大径の筒体１１ａの一端側同士、つまり小径の筒体１１ｂが嵌入する側の大径の筒体１１ａの端部同士を繋ぐように結合された作動プレート１８に取り付けた雌ねじ部材１９と螺合し、モーター８の駆動により雄ねじ軸１０が正転すると作動プレート１８はケーシング７の他端側に移動して２本のシリンダー１１も一体にケーシング７の他端側に移動する。ケーシング７の他端側に移動した２本のシリンダー１１を戻すときはモーター８の駆動により雄ねじ軸１０を逆転させれば良い。なお、ケーシング７の他端側の側板部２０には前記押圧体としての扉押し付け用のローラー１４を出退可能とするために開口部２０ａが形成されている。
【００１６】
以上のように構成された開動補助装置６はケーシング７の他端側、つまり扉押し付け用のローラー１４が玄関扉１の上端内側に近接するように出入り口２の上枠５に取り付けられる。開動補助装置６が作動していない状態のときは図４に示すように作動プレート１８はモーター８に近接した位置にあり、また緩衝用のばね１２が伸びて２本のシリンダー１１も伸びた状態で２本のシリンダー１１の小径の筒体１１ｂの端部間を繋ぐ連結具１３に取り付けられたローラー１４は前記開口部２０ａから突出していない状態となっている。
【００１７】
玄関扉１を開けたいときはラッチを解除して把手４を握って玄関扉１を開けるのであるが、例えば屋内と屋外の気圧差などにより玄関扉を開ける方向に対して非常に重くなった場合、スイッチ（図示せず）を押して前記モーター８を正方向に回転させることにより前記モーターケース８ｂ内の歯車（図示せず）により出力が増幅されて雄ねじ軸１０に回転が伝わり、雌ねじ部材１９を取り付けた作動プレート１８と一体に２本のシリンダー１１がケーシング７の他端側に移動することになる。それにより前記連結具１３に取り付けられたローラー１４は図５に示すように前記開口部２０ａから玄関扉１側に突出し、玄関扉１を開く方向に押すことになる。つまり、ローラー１４からの押圧力により、扉１を開く方向の力を補うべく応力伝達するように構成されている。このような動作により玄関扉１を少しでも開くことにより屋内と屋外の気圧差がなくなり、玄関扉１を手で容易に開くことが可能となる。ローラー１４が開口部２０ａより玄関扉１側に突出して玄関扉１を押し開く際、ローラー１４に多少の衝撃が加わるが、その衝撃は前記２本のシリンダー１１内に設けた緩衝用のばね１２を縮ませる方向に力が働くことにより吸収される。開口部２０ａからのローラー１４の突出により玄関扉１を押し開いた後は数秒後に前記モーター８が逆転して雄ねじ軸１０も逆転し、作動プレート１８と一体に２本のシリンダー１１をケーシング７の一端側に移動させて図４に示す状態に自動復帰させるようになっている。なお、開口部２０ａからのローラー１４の突出量は玄関扉１の重さなどにより予め設定されるものである。
【００１８】
ところで、玄関扉１のラッチを解除しないままスイッチを押して前記モーター８を駆動させたときはローラー１４が開口部２０ａより突出することができず、図６に示すように作動プレート１８と一体にシリンダー１１の大径の筒体１１ａのみがケーシング７の他端側に移動して緩衝用のばね１２が縮まされた状態となる。
【００１９】
要するに、以上述べた実施の形態では、ケーシング７内に、開扉方向の動力を伝達する押圧部（緩衝用のばね１２内蔵の伸縮自在なシリンダー１１）と、押圧部に設けた押圧体としてのローラー１４をケーシング７の開口部２０ａより出退可能にする作動部（雄ねじ軸１０、作動プレート１８）と、作動部を動作させるべく動力伝達部（歯車）内蔵型のモーター８からなる動力部とを有しており、開口部２０ａより突出する押圧体としてのローラー１４により玄関扉１を押し開くようになっているが、シリンダー１１，１１の一端側にローラー１４を設けずに、シリンダー１１，１１の一端をケーシング７より突出可能として、シリンダー１１，１１の一端で直接玄関扉１を押し開くようにしても良い。
【００２０】
また、以上述べた実施の形態の開動補助装置６は、戸先側における出入り口２の上枠５に取り付けられている（図７（Ａ）参照）が、図７（Ｂ）に示すように戸先と吊りもととの間の中間位置における出入り口２の上枠５に取り付けられても良く、また図７（Ｃ）に示すように戸先側における縦枠の上端に取り付けられても良く、さらに図７（Ｄ）に示すように戸先側における縦枠の下端に取り付けられても良い。
【００２１】
以上述べた第１の実施の形態では、２本のシリンダー１１，１１の一端側同士を繋ぐ連結具１３の中央に押圧体としての扉押し付け用のローラー１４を備えているが、ローラー１４の代わりに、図８に示す第２の実施の形態のように２本のシリンダー１１，１１の一端側同士を繋ぐフラットな連結具１３の中央に玄関扉１側に突出するように押圧体としてローラー１４のように回転しないブロック状の押圧具２１を設けるようにしても良い。
【００２２】
また、第２の実施の形態のように連結具１３の中央にブロック状の押圧具２１を設ける代わりに、図９に示す第３の実施の形態のように玄関扉１の上端内面側にブロック状の押圧具２２を一体的に設け、玄関扉１が閉じた通常の状態において押圧具２２が前記開口部２０ａよりケーシング７内に位置して押圧具２２の先端が連結具１３の中央に近接するようにし、玄関扉１を押し開く際、前記２本のシリンダー１１の作動により連結具１３がケーシング７の他端側に移動することにより押圧具２２を介して玄関扉１が押し開かれるようになっている。
【００２３】
また、図１０および図１１に示す第４の実施の形態について述べると、この第４の実施の形態は前記第３の実施の形態の応用例であって、玄関扉１が閉じた状態において開口部２０ａよりケーシング７内に位置する玄関扉１側の押圧具２２に対して、ピン２３を差し込んでケーシング７と結合させることにより施錠するようになっている。この第４の実施の形態ではピン２３はソレノイド２４に設けられて、ソレノイド２４の動作により押圧具２２の孔２２ａに対して下方より挿脱するようになっているが、押圧具２２に対してピン２３を上方、あるいは側方から挿脱するようにしても良く、また押圧具２２に対するピン２３の挿脱をソレノイド２４に限定されるものではなく、手動で行なうようにしても良い。
【００２４】
また、以上述べた各実施の形態ではモーター８と雄ねじ軸１０の配置部を両側から挟むように押圧部としての２本のシリンダー１１，１１が設けられているが、シリンダー１１の数は２本に限定されるものではなく、１本あるいは３本以上であっても良い。
【００２５】
さらに、以上述べた実施の形態は、建物の玄関扉１の開動補助装置であるが、玄関扉に限定されるものではない。
【図面の簡単な説明】
【００２６】
【図１】本発明の第１の実施の形態における開動補助装置のケーシングの天板を開いた状態を示す斜視図である。
【図２】同開動補助装置の取り付け状態を示す概略側断面図である。
【図３】同開動補助装置の取り付け状態を示す概略正面図である。
【図４】同開動補助装置のケーシングの天板を開いた状態を示す一部切り欠き平面図である。
【図５】同開動補助装置により玄関扉が押し開かれた状態を示す平面図である。
【図６】同玄関扉のラッチを解除しないままスイッチが押された状態を示す平面図である。
【図７】（Ａ）〜（Ｄ）は同開動補助装置の取り付け例を示す説明図である。
【図８】本発明の第２の実施の形態における開動補助装置のケーシングの天板を開いた状態を示す平面図である。
【図９】本発明の第３の実施の形態における開動補助装置のケーシングの天板を開いた状態を示す平面図である。
【図１０】本発明の第４の実施の形態において玄関扉が閉じて開動補助装置と玄関扉が施錠される前の状態を示す一部切り欠き側面図である。
【図１１】同玄関扉が閉じて開動補助装置と玄関扉が施錠された状態を示す一部切り欠き側面図である。
【符号の説明】
【００２７】
１              玄関扉
２              出入り口
３              縦枠
４              把手
５              上枠
６              開動補助装置
７              ケーシング
７ａ            底板
８              モーター
８ａ            出力軸
９              結合部
１０              雄ねじ軸
１１              シリンダー
１１ａ，１１ｂ    筒体
１２              ばね
１３              連結具
１４              ローラー
１５              軸
１６，１７        ガイドプレート
１８              作動プレート
１９              雌ねじ部材
２０              側板部
２０ａ            開口部
２１，２２        押圧具
２２ａ            孔
２３              ピン
２４              ソレノイド
【図１】
2010031596.tif 000003
【図２】
2010031596.tif 000004
【図３】
2010031596.tif 000005
【図４】
2010031596.tif 000006
【図５】
2010031596.tif 000007
【図６】
2010031596.tif 000008
【図７】
2010031596.tif 000009
【図８】
2010031596.tif 000010
【図９】
2010031596.tif 000011
【図１０】
2010031596.tif 000012
【図１１】
2010031596.tif 000013